(57)【要約】【課題】電動送風機の発生させる振動を確実に絶縁して掃除機本体の振動および騒音を抑制した電気掃除機を提案する。【解決手段】電気掃除機１は、電動送風機収納室３５を区画する壁面３５ａを有する掃除機本体２と、電動送風機収納室３５に収容された電動送風機ケース３７と、電動送風機ケース３７に収容された電動送風機８と、電動送風機収納室３５を区画する壁面３５ａと電動送風機ケース３７との間に設けられ電動送風機８の排気によって膨らむ空気ばね３９と、を備える。【選択図】  図２
2011245123.tif 000002
【特許請求の範囲】
【請求項１】
電動送風機収納室を区画する壁面を有する掃除機本体と、
前記電動送風機収納室に収容された電動送風機ケースと、
前記電動送風機ケースに収容された電動送風機と、
前記電動送風機収納室を区画する壁面と前記電動送風機ケースとの間に設けられ前記電動送風機の排気によって膨らむ空気ばねと、を備えたことを特徴とする電気掃除機。
【請求項２】
前記空気ばねは前記電動送風機ケースの底面側に配置されたことを特徴とする請求項１に記載の電気掃除機。
【請求項３】
前記空気ばねは前記電動送風機ケースの側面側に配置されたことを特徴とする請求項１または２に記載の電気掃除機。
【請求項４】
前記空気ばねは前記電動送風機収納室に排気を吐出する空気抜口を有し、
前記掃除機本体は前記電動送風機収納室から前記掃除機本体外へ排気する排気口を有することを特徴とする請求項１から３のいずれか１項に記載の電気掃除機。
【請求項５】
前記電動送風機ケースに設けられて前記空気ばねの排気を回収する集合管と、
前記電動送風機収納室を区画する壁面と前記集合管との間に架設されて前記集合管から前記掃除機本体外へ排気する排気管と、を備えたことを特徴とする請求項１から３のいずれか１項に記載の電気掃除機。
【請求項６】
前記電動送風機と前記電動送風機ケースとの間に設けられたゴム弾性体を備えたことを特徴とする請求項１から５のいずれか１項に記載の電気掃除機。
【請求項７】
前記電動送風機と前記電動送風機ケースとの間に設けられたばねを備えたことを特徴とする請求項１から５のいずれか１項に記載の電気掃除機。
【請求項８】
前記掃除機本体に着脱自在に装着されるとともに集塵室を有する集塵部と、
前記掃除機本体と前記電動送風機ケースとの間に設けられて前記集塵室内と前記電動送風機の吸気口とを連通させるシール部材と、を備えたことを特徴とする請求項１から７のいずれか１項に記載の電気掃除機。
【請求項９】
前記空気ばねが膨らんだとき前記電動送風機収納室を区画する壁面との間に隙間を形成するよう前記電動送風機ケースに設けられた緩衝部材を備えたことを特徴とする請求項１から８のいずれか１項に記載の電気掃除機。
【請求項１０】
前記空気ばねが膨らんだとき前記電動送風機ケースとの間に隙間を形成するよう前記電動送風機収納室を区画する壁面に設けられた緩衝部材を備えたことを特徴とする請求項１から８のいずれか１項に記載の電気掃除機。
【請求項１１】
前記電動送風機は前記電動送風機ケースの天面に指向させた吸気口を有することを特徴とする請求項１から１０のいずれか１項に記載の電気掃除機。
【発明の詳細な説明】
【技術分野】
【０００１】
本発明の実施形態は電気掃除機に関する。
【背景技術】
【０００２】
従来から、吸込負圧を発生させる電動送風機を収容した掃除機本体を備え、電動送風機の排気によって掃除機本体を浮上させる電気掃除機が知られている。
【０００３】
このような従来の電気掃除機は、掃除機本体や電動送風機に用いられる材料に比べて弾性率が極めて低いウレタンゴムなどの弾性部材を掃除機本体の内壁面と電動送風機との間に挟み込んだ電動送風機の防振構造を備える。この弾性部材は、電動送風機の吸気口と排気口との間を気密に区画するシール部材としての機能も兼ねている。
【先行技術文献】
【特許文献】
【０００４】
【特許文献１】特開平１０−１０８８１１号公報
【特許文献２】特開２００２−１５９４２２号公報
【発明の概要】
【発明が解決しようとする課題】
【０００５】
従来の電気掃除機は、ウレタンゴムなどの弾性部材を有する防振構造によって、電動送風機の駆動にともなう振動を絶縁していた。
【０００６】
ところが、市場では、よりいっそう静音化された電気掃除機が好まれる。
【０００７】
そこで、本発明は、電動送風機の発生させる振動を確実に絶縁して掃除機本体の振動および騒音を抑制した電気掃除機を提案する。
【課題を解決するための手段】
【０００８】
本発明の実施形態に係る電気掃除機は、電動送風機収納室を区画する壁面を有する掃除機本体と、前記電動送風機収納室に収容された電動送風機ケースと、前記電動送風機ケースに収容された電動送風機と、前記電動送風機収納室を区画する壁面と前記電動送風機ケースとの間に設けられ前記電動送風機の排気によって膨らむ空気ばねと、を備えたことを特徴とする。
【図面の簡単な説明】
【０００９】
【図１】本発明の第１実施形態に係る電気掃除機の外観を示した斜視図。
【図２】本発明の第１実施形態に係る電気掃除機の掃除機本体を示した模式的な断面図。
【図３】本発明の第１実施形態に係る電気掃除機の掃除機本体を示した模式的な断面図。
【図４】本発明の第１実施形態に係る電気掃除機の掃除機本体の他の例を示した模式的な断面図。
【図５】本発明の第２実施形態に係る電気掃除機の掃除機本体を示した模式的な断面図。
【図６】本発明の第２実施形態に係る電気掃除機の掃除機本体を示した模式的な断面図。
【図７】本発明の第２実施形態に係る電気掃除機の掃除機本体の他の例を示した模式的な断面図。
【発明を実施するための形態】
【００１０】
以下、本発明に係る電気掃除機の実施形態について図面を参照して説明する。
【００１１】
［第１の実施形態］
本発明に係る電気掃除機の第１実施形態について、図１から図４を参照して説明する。
【００１２】
図１は、本発明の第１実施形態に係る電気掃除機の外観を示した斜視図である。
【００１３】
図１に示すように、電気掃除機１は、いわゆるキャニスタ型の電気掃除機である。電気掃除機１は、被掃除面上を走行する掃除機本体２と、掃除機本体２に着脱自在に接続された管部３と、を備える。
【００１４】
掃除機本体２は、本体ケース５と、本体ケース５の両側方に軸支された一対の車輪６と、本体ケース５に着脱自在に装着された塵埃分離集塵部７（集塵部）と、塵埃分離集塵部７に連通された電動送風機８と、主に電動送風機８の駆動を制御する本体制御部９と、電動送風機８に電力を導く電源コード１１と、を備える。
【００１５】
本体ケース５は、塵埃分離集塵部７に連通された本体接続口１２を有する。
【００１６】
塵埃分離集塵部７は、電動送風機８が発生させた負圧によって電気掃除機１に吸い込まれる塵埃を含んだ空気から塵埃を分離し、捕集する。
【００１７】
車輪６は、掃除機本体２の走行用の大径の走行輪である。
【００１８】
本体制御部９は、予め設定された複数の運転モードを有する。また、本体制御部９は、管部３から読み取った操作信号に対応させて複数の運転モードから任意の運転モードを択一的に選択し、この運転モードに従って電動送風機８の駆動および制御を行う。それぞれの運転モードは、管部３から読み取られる操作信号に対応付けられるとともに、電動送風機８の入力値を互いに異ならせて設定される。
【００１９】
電源コード１１は、自由端部に電源プラグ１４を備える。
【００２０】
管部３は、電動送風機８の運転にともない掃除機本体２から作用する負圧によって、被掃除面から含塵空気を吸い込み掃除機本体２に案内する。管部３は、掃除機本体２の本体接続口１２に着脱自在に接続された接続管１９と、接続管１９に連通された集塵ホース２１と、集塵ホース２１に連通された手元操作管２２と、手元操作管２２から突出させて設けられた把持部２３と、把持部２３に設けられた操作部２４と、手元操作管２２に着脱自在に接続され連通された延長管２５と、延長管２５に着脱自在に接続された吸込口体２６と、を備える。
【００２１】
集塵ホース２１は、可撓性を有する細長略円筒状に形成される。集塵ホース２１の一端は、接続管１９に接続される。集塵ホース２１は、接続管１９を介して掃除機本体２の内部に連通される。
【００２２】
手元操作管２２の一端は、集塵ホース２１の他端に設けられる。手元操作管２２は、接続管１９および集塵ホース２１を介して掃除機本体２の内部に連通される。
【００２３】
把持部２３は、電気掃除機１のユーザが把持して電気掃除機１を操作するものである。把持部２３は、手元操作管２２に設けられる。
【００２４】
操作部２４は、それぞれの運転モードに対応させたスイッチを備える。具体的には、操作部２４は、電動送風機８の運転停止操作を受け取る停止スイッチ２４ａと、電動送風機８の運転開始操作を受け取る起動スイッチ２４ｂと、を備える。起動スイッチ２４ｂは、弱運転スイッチ（図示省略）、中運転スイッチ（図示省略）および強運転スイッチ（図示省略）を別個に備える構成にしても良い。電気掃除機１のユーザは、操作部２４を操作して電動送風機８の運転モードを択一的に選択できる。
【００２５】
延長管２５は、伸縮可能な細長略円筒状に形成される。延長管２５は、複数の筒状体を重ね合わせてテレスコピック構造に構成される。延長管２５の一端は、手元操作管２２の他端に着脱自在に接続される。延長管２５は、接続管１９、手元操作管２２および集塵ホース２１を介して掃除機本体２の内部に連通される。
【００２６】
吸込口体２６は、延長管２５の他端に着脱自在に接続される。また、吸込口体２６は、木床やカーペットなどの被掃除面上を走行自在な構造を有するとともに、走行状態において被掃除面に対向する底面に吸込口２８を有する。さらに、吸込口体２６は、吸込口体２６に軸支され吸込口２８に配置された回転清掃体２９と、回転清掃体２９を回転駆動させる電動機３１と、を備える。吸込口体２６は、延長管２５、手元操作管２２および集塵ホース２１を介して掃除機本体２の内部に連通される。
【００２７】
電気掃除機１は、起動スイッチ２４ｂで運転開始操作を受け取ると電動送風機８の運転を開始して掃除機本体２の内部に負圧（吸込負圧）を作用させる。この負圧は、本体接続口１２から集塵ホース２１と手元操作管２２と延長管２５とを経て吸込口体２６の吸込口２８に作用する。吸込口２８に作用した負圧によって、電気掃除機１は、被掃除面に溜まった塵埃を空気とともに吸込口２８から吸い込んで被掃除面を掃除する。このとき、電気掃除機１は、吸込口２８に吸い込んだ含塵空気を塵埃分離集塵部７によって空気と塵埃とに分離する。分離された塵埃は塵埃分離集塵部７で捕集される。他方、分離された空気は、塵埃分離集塵部７を通過して電動送風機８に吸い込まれた後、掃除機本体２から排気される。
【００２８】
図２および図３は、本発明の第１実施形態に係る電気掃除機の掃除機本体を示した模式的な断面図である。
【００２９】
図２および図３に示すように、電気掃除機１は、電動送風機収納室３５を区画する壁面３５ａを有する掃除機本体２と、電動送風機収納室３５に収容された電動送風機ケース３７と、電動送風機ケース３７に収容された電動送風機８と、電動送風機８と電動送風機ケース３７との間に設けられた電動送風機支持部３８と、電動送風機収納室３５を区画する壁面３５ａと電動送風機ケース３７との間に設けられ電動送風機８の排気によって膨らむ空気ばね３９と、電動送風機ケース３７の外面に設けられた緩衝部材４１と、を備える。
【００３０】
掃除機本体２は、電動送風機収納室３５の他に、塵埃分離集塵部収納室４３が区画された本体ケース５を備える。
【００３１】
塵埃分離集塵部収納室４３は、電動送風機８の吸気口８ａに連通されるとともに、塵埃分離集塵部７を介して本体接続口１２に連通される。塵埃分離集塵部収納室４３は、塵埃分離集塵部７を出入自在に収容する。塵埃分離集塵部７は濾過分離方式の塵埃分離集塵装置、いわゆる紙パックであり、電動送風機８によって塵埃分離集塵部収納室４３に作用する吸込負圧を利用して塵埃の分離および捕集を行う。具体的には、塵埃分離集塵部７は、塵埃分離集塵部収納室４３に作用した吸込負圧を本体接続口１２に伝え、本体接続口１２から流入する含塵空気に含まれた塵埃を袋内の空間である集塵室４５に捕集するとともに空気を通過させる。なお、塵埃分離集塵部７は遠心分離方式のものでも良い。
【００３２】
他方、電動送風機収納室３５は、塵埃分離集塵部収納室４３から電動送風機８の吸気口８ａに空気を導く吸込口３５ｂと、空気ばね３９を通過した後の電動送風機８の排気を掃除機本体２の外部に導く吐出口３５ｃと、を有する。電動送風機収納室３５は、空気ばね３９を介して電動送風機ケース３７および電動送風機８を保持する枠体であり、本体ケース５の一部を成す。
【００３３】
電動送風機ケース３７は、電動送風機８を覆うとともに、電動送風機収納室３５の吸込口３５ｂに流体的に接続されて電動送風機８の吸気側に空気を導く吸込口３７ａと、電動送風機８の排気を空気ばね３９に導く空気導入口３７ｂと、を有する。
【００３４】
電動送風機ケース３７の吸込口３７ａの周縁部と電動送風機収納室３５の吸込口３５ｂの周縁部との間にはシール部材４７が設けられる。シール部材４７は管状に形成されるとともに可撓性を有し、管内流路を介し吸込口３７ａおよび塵埃分離集塵部収納室４３を経て集塵室４５と吸気口８ａとを連通させるとともに、電動送風機収納室３５内の空気が再び吸気口８ａに吸い込まれないように塵埃分離集塵部収納室４３と吸気口８ａとの間を気密に保つ。
【００３５】
一方、電動送風機ケース３７の吸込口３７ａの周縁部と電動送風機８の吸気口８ａの周縁部との間にはシール部材４８が設けられる。シール部材４８は環状に形成され、中央の開口部分を介し吸込口３７ａおよび塵埃分離集塵部収納室４３を経て集塵室４５と吸気口８ａとを連通させるとともに、電動送風機８の排気口８ｂから出る排気が再び吸気口８ａに吸い込まれないように電動送風機ケース３７の内部空間と吸気口８ａとの間を気密に保つ。
【００３６】
すなわち、電動送風機８の駆動によって電動送風機ケース３７の吸込口３７ａから電動送風機８の吸気口８ａへと吸い込まれた空気は、電動送風機８の排気口８ｂから排気されて電動送風機ケース３７の内部空間を満たし、空気導入口３７ｂから空気ばね３９へ導かれて空気ばね３９を膨らませる。
【００３７】
電動送風機８は、吸気口８ａを有する遠心ファン部５１と、排気口８ｂを有するモータ部５２と、を備える。遠心ファン部５１は遠心ファン（図示省略）を備える。モータ部５２は、遠心ファンを駆動させるモータ（図示省略）を備える。また、電動送風機８は、掃除機本体２が略水平な被掃除面に置かれたとき吸気口８ａを略鉛直上方へ向けるよう配置される。
【００３８】
電動送風機支持部３８は、電動送風機８を電動送風機ケース３７内に支持するものであり、発泡ゴムや合成ゴムなどのゴム弾性体５４（図２）やコイルバネや板バネなどのばね５５（図３）を用いて構成される。
【００３９】
空気ばね３９は、電動送風機ケース３７の空気導入口３７ｂから供給される空気によって膨らむ袋体であり、空気導入口３７ｂを覆うように電動送風機ケース３７の外壁に設けられるとともに、電動送風機収納室３５へ空気を排気する空気抜口３９ａを有する。空気ばね３９は、電動送風機８の排気流路の一分を構成するので、排気流によって確実に膨らむ。なお、空気ばね３９を膨らませた空気は、空気抜口３９ａから電動送風機収納室３５へ排気された後、電動送風機収納室３５の吐出口３５ｃから掃除機本体２の外部へ排気される。空気抜口３９ａは、空気ばね３９のうち電動送風機収納室３５を区画する壁面３５ａに近い部分に配置される。空気抜口３９ａから吐出される空気の流量を適宜に設定することで電動送風機収納室３５を区画する壁面３５ａから空気ばね３９を浮上させることもできる。なお、電動送風機収納室３５を区画する壁面３５ａと空気ばね３９とが接触していても、空気ばね３９の防振機能は発揮される。
【００４０】
また、空気ばね３９は、電動送風機ケース３７の底面側３７ｃおよび側面側３７ｄに配置される。電動送風機ケース３７の底面側３７ｃに配置された空気ばね３９は、掃除機本体２が被掃除面上に置かれたとき、電動送風機８の重量を支持するとともに鉛直方向に生じる振動を絶縁する。なお、電動送風機ケース３７の吸込口３７ａの周縁部と電動送風機収納室３５の吸込口３５ｂの周縁部との間に設けられたシール部材４７にコイルバネなどの付勢部材５７を設けることによって空気ばね３９の支える電動送風機８の重量分担を軽減させても良い。
【００４１】
他方、電動送風機ケース３７の側面側３７ｄに配置された空気ばね３９は、側面側３７ｄに沿って環状に形成され、掃除機本体２が被掃除面上に置かれたとき、掃除機本体２の移動（走行）にともなう電動送風機８の水平方向の生じる慣性力を支持するとともに水平方向に生じる振動を絶縁する。
【００４２】
緩衝部材４１は、空気ばね３９が萎んだとき電動送風機収納室３５を区画する壁面３５ａと電動送風機ケース３７との接触、衝突を緩衝するものである。また、緩衝部材４１は、空気ばね３９が膨らんだとき空気ばね３９の防振構造を妨げないよう電動送風機収納室３５を区画する壁面３５ａとの間に隙間を形成する。
【００４３】
なお、緩衝部材４１は、電動送風機収納室３５を区画する壁面３５ａに設けても良い。この場合、緩衝部材４１は、空気ばね３９が膨らんだとき空気ばね３９の防振構造を妨げないよう電動送風機ケース３７の外面との間に隙間を形成する。
【００４４】
また、緩衝部材４１は、空気ばね３９が萎んだときのみならず、掃除機本体２に大きな衝撃荷重が加えられたときに空気ばね３９とともにこの衝撃を緩衝する。
【００４５】
図４は、本発明の第１実施形態に係る電気掃除機の掃除機本体の他の例を示した模式的な断面図である。
【００４６】
図４に示すように、電気掃除機１は、吸気口８ａを略水平方向へ指向させて塵埃分離集塵部収納室４３に直線的に連通された電動送風機８を備える。この場合、電気掃除機１の吸込仕事率の低減が抑制される。
【００４７】
電動送風機ケース３７の側面側３７ｄに配置された空気ばね３９は、電動送風機ケース３７の吸込口３７ａを挟み込むように分割させて配置される。
【００４８】
このように構成された電気掃除機１は、電動送風機８の運転を開始させると、塵埃分離集塵部７で含塵空気から分離した空気を塵埃分離集塵部収納室４３から電動送風機収納室３５の吸込口３５ｂ、シール部材４７の管内流路、電動送風機ケース３７の吸込口３７ａおよびシール部材４８の中央開口部分を順次に経て電動送風機８に吸い込む。この後、電気掃除機１は、電動送風機８の排気口８ｂから排気した空気を電動送風機ケース３７の内部空間および空気導入口３７ｂを経て空気ばね３９に導入する。さらにこの後、電気掃除機１は、空気ばね３９に導入した空気を空気抜口３９ａから電動送風機収納室３５および吐出口３５ｃを経て掃除機本体２の外部へ排気する。このような空気の流れによって膨らまされた空気ばね３９は、従来の電気掃除機のようにゴム弾性体やばねを用いた電動送風機の防振構造に比べて極めて低い支持剛性で電動送風機ケース３７および電動送風機８を支持する。
【００４９】
したがって、本実施形態に係る電気掃除機１は、電動送風機ケース３７と本体ケース５との間で伝達される振動を大幅に減衰させる。
【００５０】
また、本実施形態に係る電気掃除機１は、電動送風機支持部３８によって電動送風機ケース３７内に電動送風機８を支持するので、ゴム弾性体５４やばね５５で構成された電動送風機支持部３８と空気ばね３９とを協働させて電動送風機８の防振構造を構成し、より効果的に振動を減衰させる。
【００５１】
さらに、電気掃除機１は、電動送風機収納室３５および電動送風機ケース３７の内部空間で電動送風機８から発せられる騒音を大幅に低減できる。特に、電動送風機８の排気を利用して空気ばね３９を膨らませるので、排気に起因する騒音の発生を抑制できる。
【００５２】
［第２の実施形態］
本発明に係る電気掃除機の第２実施形態について、図５から図７を参照して説明する。
【００５３】
図５および図６は、本発明の第２実施形態に係る電気掃除機の掃除機本体を示した模式的な断面図である。
【００５４】
本実施形態に係る電気掃除機１Ａにおいて第１実施形態の電気掃除機１と同じ構成には同一の符号を付し、重複する説明は省略する。
【００５５】
図５および図６に示すように、電気掃除機１Ａは、電動送風機ケース３７に設けられて空気ばね３９Ａの排気を回収する集合管６１と、電動送風機収納室３５を区画する壁面３５ａと集合管６１との間に架設されて集合管６１から掃除機本体２外へ排気する排気管６２と、を備える。
【００５６】
集合管６１は、電動送風機８および電動送風機ケース３７とともに空気ばね３９Ａによって弾性支持されるものであり、空気ばね３９の排気を回収する空気回収口６１ａと、電動送風機収納室３５の吐出口３５ｃに連通された集合排気口６１ｂと、を有する。
【００５７】
排気管６２は、集合排気口６１ｂと吐出口３５ｃとを連通させる可撓性を有する管であり、集合管６１の排気を直接的に電動送風機収納室３５の外部へ導く。排気管６２は、電動送風機収納室３５における電動送風機ケース３７の移動を妨げないよう、また電動送風機ケース３７から本体ケース５へ振動が伝わらないよう十分に柔軟な管を用いて構成される。
【００５８】
空気ばね３９Ａは、電動送風機ケース３７の空気導入口３７ｂから供給される空気によって膨らむ袋体であり、空気導入口３７ｂおよび空気回収口６１ａを覆うように電動送風機ケース３７の外壁に設けられる。空気ばね３９Ａは、電動送風機８の排気流路の一分を構成するので、排気流によって確実に膨らむ。なお、空気ばね３９Ａを膨らませた空気は、空気回収口６１ａから集合管６１で回収された後、排気管６２を通って電動送風機収納室３５の吐出口３５ｃから掃除機本体２の外部へ排気される。
【００５９】
図７は、本発明の第２実施形態に係る電気掃除機の掃除機本体の他の例を示した模式的な断面図である。
【００６０】
図７に示すように、電気掃除機１Ａは、吸気口８ａを略水平方向へ指向させて塵埃分離集塵部収納室４３に直線的に連通された電動送風機８を備える。この場合、電気掃除機１Ａの吸込仕事率の低減が抑制される。
【００６１】
電動送風機ケース３７の側面側３７ｄに配置された空気ばね３９Ａは、電動送風機ケース３７の吸込口３７ａを挟み込むように分割させて配置される。
【００６２】
このように構成された電気掃除機１Ａは、電動送風機８の運転を開始させると、塵埃分離集塵部７で含塵空気から分離した空気を塵埃分離集塵部収納室４３から電動送風機収納室３５の吸込口３５ｂ、シール部材４７の管内流路、電動送風機ケース３７の吸込口３７ａおよびシール部材４８の中央開口部分を順次に経て電動送風機８に吸い込む。この後、電気掃除機１Ａは、電動送風機８の排気口８ｂから排気した空気を電動送風機ケース３７の内部空間および空気導入口３７ｂを経て空気ばね３９Ａに導入する。さらにこの後、電気掃除機１Ａは、空気ばね３９Ａに導入した空気を空気回収口６１ａから集合管６１、排気管６２および吐出口３５ｃを経て掃除機本体２の外部へ排気する。このような空気の流れによって膨らまされた空気ばね３９Ａは、従来の電気掃除機のようにゴム弾性体やばねを用いた電動送風機の防振構造に比べて極めて低い支持剛性で電動送風機ケース３７および電動送風機８を支持する。
【００６３】
したがって、本実施形態に係る電気掃除機１Ａは、電動送風機ケース３７と本体ケース５との間で伝達される振動を大幅に減衰させる。
【００６４】
また、本実施形態に係る電気掃除機１Ａは、電動送風機支持部３８によって電動送風機ケース３７内に電動送風機８を支持するので、ゴム弾性体５４やばね５５で構成された電動送風機支持部３８と空気ばね３９Ａとを協働させて電動送風機８の防振構造を構成し、より効果的に振動を減衰させる。
【００６５】
さらに、電気掃除機１Ａは、電動送風機収納室３５および電動送風機ケース３７の内部空間で電動送風機８から発せられる騒音を大幅に低減できる。特に、電動送風機８の排気を利用して空気ばね３９Ａを膨らませるので、排気に起因する騒音の発生を抑制できる。
【００６６】
さらにまた、電気掃除機１Ａは、空気ばね３９Ａを膨らませた空気を電動送風機収納室３５内に流し込むことなく集合管６１および排気管６２から掃除機本体２外へ排気するので、電動送風機収納室３５内に空気ばね３９Ａの膨らみを妨げる排気流を生じさせることがない。
【００６７】
したがって、本実施形態に係る電気掃除機１、１Ａによれば、電動送風機８の発生させる振動を確実に絶縁して掃除機本体２の振動および騒音を抑制する。
【００６８】
なお、本実施形態に係る電気掃除機１、１Ａは、キャニスタ型の電気掃除機１、１Ａに限らず、アップライト型、スティック型、あるいはハンディ型などの電気掃除機であってもよい。
【符号の説明】
【００６９】
１、１Ａ  電気掃除機
２  掃除機本体
３  管部
５  本体ケース
６  車輪
７  塵埃分離集塵部
８  電動送風機
８ａ  吸気口
８ｂ  排気口
９  本体制御部
１１  電源コード
１２  本体接続口
１４  電源プラグ
１９  接続管
２１  集塵ホース
２２  手元操作管
２３  把持部
２４  操作部
２４ａ  停止スイッチ
２４ｂ  起動スイッチ
２５  延長管
２６  吸込口体
２８  吸込口
２９  回転清掃体
３１  電動機
３５  電動送風機収納室
３５ａ  壁面
３５ｂ  吸込口
３５ｃ  吐出口
３７  電動送風機ケース
３７ａ  吸込口
３７ｂ  空気導入口
３７ｃ  底面側
３７ｄ  側面側
３８  電動送風機支持部
３９、３９Ａ  空気ばね
３９ａ  空気抜口
４１  緩衝部材
４３  塵埃分離集塵部収納室
４５  集塵室
４７  シール部材
４８  シール部材
５１  遠心ファン部
５２  モータ部
５４  ゴム弾性体
５５  ばね
５７  付勢部材
６１  集合管
６１ａ  空気回収口
６１ｂ  集合排気口
６２  排気管
【図１】
2011245123.tif 000003
【図２】
2011245123.tif 000004
【図３】
2011245123.tif 000005
【図４】
2011245123.tif 000006
【図５】
2011245123.tif 000007
【図６】
2011245123.tif 000008
【図７】
2011245123.tif 000009